(57)【特許請求の範囲】
【請求項１】
第１の電力クラスｅＮｏｄｅＢと第２の電力クラスｅＮｏｄｅＢとを含む異種ネットワークにおいてワイヤレス通信のための装置が実行するワイヤレス通信の方法であって、
前記第１の電力クラスｅＮｏｄｅＢと前記第２の電力クラスｅＮｏｄｅＢとにより送信される各サブフレームは制御情報を伝送するための制御領域とデータを伝送するための領域とを含み、
非変更のパワースペクトル密度（ＰＳＤ）を使用する前記第１の電力クラスｅＮｏｄｅＢのサブフレームにおける前記制御領域での制御情報の第１のインスタンスの送信が前記第２の電力クラスｅＮｏｄｅＢのサブフレームにおける前記制御領域での制御情報の第２のインスタンスの送信への閾値を上回る干渉をもたらすことを決定することと、
前記第１の電力クラスｅＮｏｄｅＢの前記サブフレームの前記制御領域の一部分のための前記ＰＳＤを変更することと、
制御情報の前記第１のインスタンスの前記一部分のための前記変更されたＰＳＤを使用して、前記制御領域の間に制御情報の前記第１のインスタンスを送信することと、
を備えるワイヤレス通信の方法。
【請求項２】
前記第１の電力クラスｅＮｏｄｅＢの前記サブフレームはマルチキャスト放送単一周波数ネットワーク（ＭＢＳＦＮ）サブフレームであり、前記第２の電力クラスｅＮｏｄｅＢの前記サブフレームが非ＭＢＳＦＮサブフレームである請求項１に記載の方法。
【請求項３】
前記変更することは、前記第１の電力クラスｅＮｏｄｅＢの前記サブフレームの前記制御領域の前記一部分のための前記ＰＳＤを低減することをさらに備える請求項１に記載の方法。
【請求項４】
前記一部分のための前記ＰＳＤを前記低減することは、
前記制御領域の間に送信に予定された１つまたは複数のチャネルのための前記ＰＳＤを低減することを備え、前記１つまたは複数のチャネルは、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える、請求項３に記載の方法。
【請求項５】
前記一部分のための前記ＰＳＤを前記低減することは、
前記第２の電力クラスｅＮｏｄｅＢの前記サブフレームへの干渉をもたらす前記第１の電力クラスｅＮｏｄｅＢの前記サブフレーム以外のサブフレームでの制御チャネル情報の送信を予定すること
をさらに備える請求項３に記載の方法。
【請求項６】
複数のサブフレームのうちのどの１つまたは複数が前記変更されたＰＳＤを使用して送信されるかを示すメッセージを送信すること、をさらに備え、前記メッセージは、前記第２の電力クラスｅＮｏｄｅＢと、前記第２の電力クラスｅＮｏｄｅＢによってサービス提供される１つまたは複数のユーザ機器（ＵＥ）とのうちの少なくとも１つに送信される
請求項１に記載の方法。
【請求項７】
１つまたは複数の他の第１の電力クラスｅＮｏｄｅＢからの送信が前記第２の電力クラスｅＮｏｄｅＢの前記サブフレームにおける前記制御領域での制御情報の前記第２のインスタンスの前記送信への前記閾値を上回る干渉をもたらすことを決定することと、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させることと、
をさらに備える請求項１に記載の方法。
【請求項８】
前記１つまたは複数の他の第１の電力クラスｅＮｏｄｅＢのうちの前記少なくとも１つは、前記第１の電力クラスｅＮｏｄｅＢによって使用されるものとは異なるＰＳＤ変更値を使用して前記対応するサブフレームの前記ＰＳＤを変更する請求項７に記載の方法。
【請求項９】
前記ＰＳＤを前記変更することは、前記第２の電力クラスｅＮｏｄｅＢの前記サブフレームの前記制御領域の前記一部分のための前記ＰＳＤを増加させることをさらに含む請求項１に記載の方法。
【請求項１０】
前記第１の電力クラスｅＮｏｄｅＢはマクロセルであり、前記第２の電力クラスｅＮｏｄｅＢはピコセルである請求項１に記載の方法。
【請求項１１】
前記第１の電力クラスｅＮｏｄｅＢはフェムトセルであり、前記第２の電力クラスｅＮｏｄｅＢはピコセルまたはマクロセルのいずれかである請求項１に記載の方法。
【請求項１２】
第１の電力クラスｅＮｏｄｅＢと第２の電力クラスｅＮｏｄｅＢとを含む異種ネットワークにおけるワイヤレス通信のための装置であって、
前記第１の電力クラスｅＮｏｄｅＢと前記第２の電力クラスｅＮｏｄｅＢとにより送信される各サブフレームは制御情報を伝送するための制御領域とデータを伝送するための領域とを含み、
非変更のパワースペクトル密度（ＰＳＤ）を使用する前記第１の電力クラスｅＮｏｄｅＢのサブフレームにおける前記制御領域での制御情報の第１のインスタンスの送信が前記第２の電力クラスｅＮｏｄｅＢのサブフレームにおける前記制御領域での制御情報の第２のインスタンスの送信への閾値を上回る干渉をもたらすことを決定するための手段と、
前記第１の電力クラスｅＮｏｄｅＢの前記サブフレームの前記制御領域の一部分のための前記ＰＳＤを変更するための手段と、
制御情報の前記第１のインスタンスの前記一部分のための前記変更されたＰＳＤを使用して、前記制御領域の間に制御情報の前記第１のインスタンスを送信するための手段と、
を備えるワイヤレス通信のための装置。
【請求項１３】
前記第１の電力クラスｅＮｏｄｅＢの前記サブフレームはマルチキャスト放送単一周波数ネットワーク（ＭＢＳＦＮ）サブフレームであり、前記第２の電力クラスｅＮｏｄｅＢの前記サブフレームは非ＭＢＳＦＮサブフレームである請求項１２に記載の装置。
【請求項１４】
変更するための前記手段は、前記第１の電力クラスｅＮｏｄｅＢの前記サブフレームの前記制御領域の前記一部分のための前記ＰＳＤを低減するための手段をさらに備える請求項１２に記載の装置。
【請求項１５】
前記一部分のための前記ＰＳＤを低減するための前記手段は、
前記制御領域の間に送信に予定された１つまたは複数のチャネルのための前記ＰＳＤを低減するための手段をさらに備え、前記１つまたは複数のチャネルは、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える、
請求項１４に記載の装置。
【請求項１６】
前記一部分のための前記ＰＳＤを低減するための前記手段は、
前記第２の電力クラスｅＮｏｄｅＢの前記サブフレームへの干渉をもたらす前記第１の電力クラスｅＮｏｄｅＢの前記サブフレーム以外のサブフレームでの制御チャネル情報の送信を予定するための手段
をさらに備える請求項１４に記載の装置。
【請求項１７】
複数のサブフレームのうちのどの１つまたは複数が前記変更されたＰＳＤを使用して送信されるかを示すメッセージを送信するための手段をさらに備え、前記メッセージは、前記第２の電力クラスｅＮｏｄｅＢと、前記第２の電力クラスｅＮｏｄｅＢによってサービス提供される１つまたは複数のユーザ機器（ＵＥ）とのうちの少なくとも１つに送信される、
請求項１２に記載の装置。
【請求項１８】
１つまたは複数の他の第１の電力クラスｅＮｏｄｅＢからの送信が前記第２の電力クラスｅＮｏｄｅＢの前記サブフレームにおける前記制御領域での制御情報の前記第２のインスタンスの前記送信への前記閾値を上回る干渉をもたらすことを決定するための手段と、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させるための手段と
をさらに備える請求項１２に記載の装置。
【請求項１９】
前記１つまたは複数の他の第１の電力クラスｅＮｏｄｅＢのうちの前記少なくとも１つは、前記第１の電力クラスｅＮｏｄｅＢによって使用されるものとは異なるＰＳＤ変更値を使用して前記対応するサブフレームの前記ＰＳＤを変更する請求項１８に記載の装置。
【請求項２０】
前記ＰＳＤを変更するための前記手段は、前記第２の電力クラスｅＮｏｄｅＢの前記サブフレームの前記制御領域の前記一部分のための前記ＰＳＤを増加させるための手段をさらに備える請求項１２に記載の装置。
【請求項２１】
前記第１の電力クラスｅＮｏｄｅＢはマクロセルであり、前記第２の電力クラスｅＮｏｄｅＢはピコセルである請求項１２に記載の装置。
【請求項２２】
前記第１の電力クラスｅＮｏｄｅＢはフェムトセルであり、前記第２の電力クラスｅＮｏｄｅＢはピコセルまたはマクロセルのいずれかである請求項１２に記載の装置。
【請求項２３】
コンピュータを、第１の電力クラスｅＮｏｄｅＢと第２の電力クラスｅＮｏｄｅＢとを含む異種ネットワークにおけるワイヤレス通信のための装置として機能させるコンピュータプログラムであって、
前記第１の電力クラスｅＮｏｄｅＢと前記第２の電力クラスｅＮｏｄｅＢとにより送信される各サブフレームは制御情報を伝送するための制御領域とデータを伝送するための領域とを含み、
前記コンピュータプログラムは、前記コンピュータに、
非変更のパワースペクトル密度（ＰＳＤ）を使用する前記第１の電力クラスｅＮｏｄｅＢのサブフレームにおける前記制御領域での制御情報の第１のインスタンスの送信が前記第２の電力クラスｅＮｏｄｅＢのサブフレームにおける前記制御領域での制御情報の第２のインスタンスの送信への閾値を上回る干渉をもたらすことを決定させ、
前記第１の電力クラスｅＮｏｄｅＢの前記サブフレームの前記制御領域の一部分のための前記ＰＳＤを変更させ、
制御情報の前記第１のインスタンスの前記一部分のための前記変更されたＰＳＤを使用して、前記制御領域の間に制御情報の前記第１のインスタンスを送信させる
コードを備えるコンピュータプログラム。
【請求項２４】
前記第１の電力クラスｅＮｏｄｅＢの前記サブフレームはマルチキャスト放送単一周波数ネットワーク（ＭＢＳＦＮ）サブフレームであり、前記第２の電力クラスｅＮｏｄｅＢの前記サブフレームは非ＭＢＳＦＮサブフレームである請求項２３に記載のコンピュータプログラム。
【請求項２５】
前記コンピュータに、前記第１の電力クラスｅＮｏｄｅＢの前記サブフレームの前記制御領域の前記一部分のための前記ＰＳＤを低減させるコードをさらに備える請求項２３に記載のコンピュータプログラム。
【請求項２６】
前記コンピュータに、前記制御領域の間に送信に予定された１つまたは複数のチャネルのための前記ＰＳＤを低減させるコードをさらに備え、前記１つまたは複数のチャネルは、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える請求項２５に記載のコンピュータプログラム。
【請求項２７】
前記コンピュータに、前記第２の電力クラスｅＮｏｄｅＢの前記サブフレームへの干渉をもたらす前記第１の電力クラスｅＮｏｄｅＢの前記サブフレーム以外のサブフレームの制御チャネル情報の送信を予定させるコードをさらに備える
請求項２５に記載のコンピュータプログラム。
【請求項２８】
前記コンピュータに、複数のサブフレームのうちのどの１つまたは複数が前記変更されたＰＳＤを使用して送信されるかを示すメッセージを送信させるコードをさらに備え、前記メッセージは、前記第２の電力クラスｅＮｏｄｅＢと、前記第２の電力クラスｅＮｏｄｅＢによってサービス提供される１つまたは複数のユーザ機器（ＵＥ）とのうちの少なくとも１つに送信される、請求項２３に記載のコンピュータプログラム。
【請求項２９】
前記コンピュータに、
１つまたは複数の他の第１の電力クラスｅＮｏｄｅＢからの送信が前記第２の電力クラスｅＮｏｄｅＢの前記サブフレームにおける前記制御領域での制御情報の前記第２のインスタンスの前記送信への前記閾値を上回る干渉をもたらすことを決定させるコードと、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させるコードと、
をさらに備える請求項２３に記載のコンピュータプログラム。
【請求項３０】
前記１つまたは複数の他の第１の電力クラスｅＮｏｄｅＢのうちの前記少なくとも１つは、前記第１の電力クラスｅＮｏｄｅＢによって使用されるものとは異なるＰＳＤ変更値を使用して前記対応するサブフレームの前記ＰＳＤを変更する請求項２９に記載のコンピュータプログラム。
【請求項３１】
前記コンピュータに、前記第２の電力クラスｅＮｏｄｅＢの前記サブフレームの前記制御領域の前記一部分のための前記ＰＳＤを増加させるコードをさらに備える請求項２３に記載のコンピュータプログラム。
【請求項３２】
前記第１の電力クラスｅＮｏｄｅＢはマクロセルであり、前記第２の電力クラスｅＮｏｄｅＢはピコセルである請求項２３に記載のコンピュータプログラム。
【請求項３３】
前記第１の電力クラスｅＮｏｄｅＢはフェムトセルであり、前記第２の電力クラスｅＮｏｄｅＢはピコセルまたはマクロセルのいずれかである請求項２３に記載のコンピュータプログラム。
【請求項３４】
第１の電力クラスｅＮｏｄｅＢと第２の電力クラスｅＮｏｄｅＢとを含む異種ネットワークにおけるワイヤレス通信のための装置であって、
前記第１の電力クラスｅＮｏｄｅＢと前記第２の電力クラスｅＮｏｄｅＢとにより送信される各サブフレームは制御情報を伝送するための制御領域とデータを伝送するための領域とを含み、
非変更のパワースペクトル密度（ＰＳＤ）を使用する前記第１の電力クラスｅＮｏｄｅＢのサブフレームにおける前記制御領域での制御情報の第１のインスタンスの送信が前記第２の電力クラスｅＮｏｄｅＢのサブフレームにおける前記制御領域での制御情報の第２のインスタンスの送信への閾値を上回る干渉をもたらすことを決定し、
前記第１の電力クラスｅＮｏｄｅＢの前記サブフレームの前記制御領域の一部分のためのＰＳＤを変更し、
制御情報の前記第１のインスタンスの前記一部分のための前記変更されたＰＳＤを使用して、前記制御領域の間に制御情報の前記第１のインスタンスを送信する
ように構成された処理システム
を備えるワイヤレス通信のための装置。
【請求項３５】
前記第１の電力クラスｅＮｏｄｅＢの前記サブフレームはマルチキャスト放送単一周波数ネットワーク（ＭＢＳＦＮ）サブフレームであり、前記第２の電力クラスｅＮｏｄｅＢの前記サブフレームは非ＭＢＳＦＮサブフレームである請求項３４に記載の装置。
【請求項３６】
前記処理システムは、前記第１の電力クラスｅＮｏｄｅＢの前記サブフレームの前記制御領域の前記一部分のための前記ＰＳＤを低減するようにさらに構成されている請求項３４に記載の装置。
【請求項３７】
前記処理システムは、
前記制御領域の間に送信に予定された１つまたは複数のチャネルのための前記ＰＳＤを低減するようにさらに構成され、前記１つまたは複数のチャネルは、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える
請求項３６に記載の装置。
【請求項３８】
前記処理システムは、
前記第２の電力クラスｅＮｏｄｅＢの前記サブフレームへの干渉をもたらす前記第１の電力クラスｅＮｏｄｅＢの前記サブフレーム以外のサブフレームでの制御チャネル情報の送信を予定するようにさらに構成される
請求項３６に記載の装置。
【請求項３９】
前記処理システムは、
複数のサブフレームのうちのどの１つまたは複数が前記変更されたＰＳＤを使用して送信されるかを示すメッセージを送信するようにさらに構成され、前記メッセージは、前記第２の電力クラスｅＮｏｄｅＢと、前記第２の電力クラスｅＮｏｄｅＢによってサービス提供される１つまたは複数のユーザ機器（ＵＥ）とのうちの少なくとも１つに送信される
請求項３４に記載の装置。
【請求項４０】
前記処理システムは、
１つまたは複数の他の第１の電力クラスｅＮｏｄｅＢからの送信が前記第２の電力クラスｅＮｏｄｅＢの前記サブフレームにおける前記制御領域での制御情報の前記第２のインスタンスの前記送信への前記閾値を上回る干渉をもたらすことを決定し、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させる
ようにさらに構成されている請求項３４に記載の装置。
【請求項４１】
前記１つまたは複数の他の第１の電力クラスｅＮｏｄｅＢのうちの前記少なくとも１つは、前記第１の電力クラスｅＮｏｄｅＢによって使用されるものとは異なるＰＳＤ変更値を使用して前記対応するサブフレームの前記ＰＳＤを変更する請求項４０に記載の装置。
【請求項４２】
前記ＰＳＤを変更するために、前記処理システムは、前記第２の電力クラスｅＮｏｄｅＢの前記サブフレームの前記制御領域の前記一部分のための前記ＰＳＤを増加させるように構成されている請求項３４に記載の装置。
【請求項４３】
前記第１の電力クラスｅＮｏｄｅＢはマクロセルであり、前記第２の電力クラスｅＮｏｄｅＢはピコセルである請求項３４に記載の装置。
【請求項４４】
前記第１の電力クラスｅＮｏｄｅＢはフェムトセルであり、前記第２の電力クラスｅＮｏｄｅＢはピコセルまたはマクロセルのいずれかである請求項３４に記載の装置。
【発明の詳細な説明】
【技術分野】
【０００１】
[関連出願の相互参照]
本出願は、参照によりその全部が本明細書に明示的に組み込まれる、２００９年６月１９日に出願された「SYSTEMS AND METHODS OF SUBFRAME DEPENDENT DL POWER MANAGEMENT IN LTE/LTE-A HETEROGENEOUS NETWORKS」という名称の米国仮特許出願第６１／２１８，８２９号の利益を要求する。
【０００２】
[分野]
本開示は、一般に通信システムに関し、詳細には、異種ワイヤレス通信ネットワークにおけるダウンリンク（ＤＬ）電力の管理に関する。
【背景技術】
【０００３】
[背景]
電話、ビデオ、データ、メッセージング、およびブロードキャストなど、様々な通信サービスを提供するために、ワイヤレス通信システムが広く配置されている。通常のワイヤレス通信システムは、使用可能なシステムリソース（帯域幅、送信電力など）を共有することによって、複数のユーザとの通信をサポートすることができる多元接続技術を使用することができる。こうした多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムなどがある。
【０００４】
これらの多元接続技術は、異なるワイヤレスデバイスが地方、国、地域、およびさらにはグローバルレベルで通信することができる共通プロトコルを提供するために、様々な通信標準において採用されている。台頭する通信標準の一例は、Ｌｏｎｇ  Ｔｅｒｍ  Ｅｖｏｌｕｔｉｏｎ（ＬＴＥ）である。ＬＴＥは、第3世代パートナーシップ・プロジェクト（Third Generation Partnership Project；３ＧＰＰ）によって普及したＵＭＴＳ（Universal Mobile Telecommunications System）モバイル標準に対する１組の強化である。これは、スペクトル効率を向上させることによってモバイルブロードバンドインターネットアクセスをよりよくサポートし、コストを低減し、サービスを向上させ、新しいスペクトルを使用し、ＤＬにおけるＯＦＤＭＡ、アップリンク（ＵＬ）におけるＳＣ−ＦＤＭＡ、および多入力多出力（ＭＩＭＯ）アンテナ技術を使用する他のオープン標準とよりよく統合するように設計されている。しかし、モバイルブロードバンドアクセスの要求が増加し続けるにつれて、ＬＴＥ技術のさらなる改良が必要である。好ましくは、こうした改良がこれらの技術を使用する他の多元接続技術および通信標準に適用できなければならない。
【発明の概要】
【０００５】
以下は、こうした態様を基本的に理解できるようにするために、１つまたは複数の態様の簡単な概要を示す。この概要は、企図されたすべての態様の広範な概要ではなく、また、すべての態様の鍵となるまたは重要な要素を識別するためのものではなく、任意のまたはすべての態様の範囲を画定するためのものでもない。唯一の目的は、後述するより詳細な説明の前置きとして、１つまたは複数の態様の一部の概念を簡略化した形で提示するためのものである。
【０００６】
１つまたは複数の態様およびその対応する開示によれば、様々な態様が、異種ネットワークにおけるＤＬ電力管理との関連で記載されている。この方法は、非変更の（non-modified）パワースペクトル密度（ＰＳＤ;power spectral density）を使用した第１の電力クラスｅＮｏｄｅＢのサブフレームにおける第１の制御領域での制御情報の第１のインスタンス(instance)の送信が第２の電力クラスｅＮｏｄｅＢのサブフレームにおける第２の制御領域での制御情報の第２のインスタンスの送信への閾値を上回る干渉をもたらすことを決定することと、第１の電力クラスまたは第２の電力クラスのｅＮｏｄｅＢのうちの少なくとも一方のサブフレームのうちの少なくとも１つの第１または第２の制御領域のうちの少なくとも一方の一部分のためのＰＳＤを変更することと、制御情報の第１のインスタンスの一部分のための変更されたＰＳＤを使用して、制御領域の間に制御情報の第１のインスタンスを送信することとを含み得る。
【０００７】
さらに別の態様は、装置に関する。この装置は、非変更のパワースペクトル密度（ＰＳＤ）を使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定するための手段と、第１の電力クラスまたは第２の電力クラスのｅＮｏｄｅＢのうちの少なくとも一方のサブフレームのうちの少なくとも１つの第１または第２の制御領域のうちの少なくとも一方の一部分のためのＰＳＤを変更するための手段と、制御情報の第１のインスタンスの一部分のための変更されたＰＳＤを使用して、制御領域の間に制御情報の第１のインスタンスを送信するための手段とを含み得る。
【０００８】
さらに別の態様は、コンピュータ可読媒体を含むコンピュータプログラム製品に関する。コンピュータ可読媒体は、非変更のＰＳＤを使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定し、第１の電力クラスまたは第２の電力クラスのｅＮｏｄｅＢのうちの少なくとも一方のサブフレームのうちの少なくとも１つの第１または第２の制御領域のうちの少なくとも一方の一部分のためのＰＳＤを変更し、制御情報の第１のインスタンスの一部分のための変更されたＰＳＤを使用して、制御領域の間に制御情報の第１のインスタンスを送信するためのコードを含み得る。
【０００９】
別の態様は、ワイヤレス通信のための装置に関する。非変更のＰＳＤを使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定し、第１の電力クラスまたは第２の電力クラスのｅＮｏｄｅＢのうちの少なくとも一方のサブフレームのうちの少なくとも１つの第１または第２の制御領域のうちの少なくとも一方の一部分のためのＰＳＤを変更し、制御情報の第１のインスタンスの一部分のための変更されたＰＳＤを使用して、制御領域の間に制御情報の第１のインスタンスを送信するように構成された処理システムを含み得る。
【００１０】
上記および関連の目的を達成するために、１つまたは複数の態様は、以下に十分説明され、特に特許請求の範囲において指し示される特徴を備える。以下の説明および添付の図面は、１つまたは複数の態様のいくつかの例示の特徴を詳細に記載する。しかし、これらの特徴は、様々な態様の原理を使用することができる様々な方法のうちのほんのわずかを示すにすぎず、この説明は、こうした態様およびその等価物を含むものとする。
【図面の簡単な説明】
【００１１】
【図１】処理システムを使用する装置のハードウェアの実装の一例を示す図。
【図２】ネットワークアーキテクチャの一例を示す図。
【図３】アクセスネットワークの一例を示す図。
【図４】アクセスネットワークで使用するフレーム構造の一例を示す図。
【図５】ＬＴＥにおけるＵＬのフォーマット例を示す図。
【図６】ユーザプレーンおよびコントロールプレーンの無線プロトコルアーキテクチャの一例を示す図。
【図７】アクセスネットワークにおける進化型ノードＢおよびユーザ機器の一例を示す図。
【図８】アクセスネットワークで使用するＭＢＳＦＮベースのフレームの一例を示す図。
【図９】ワイヤレス通信の方法を示すフローチャート。
【図１０】装置例の機能を示す概念ブロック図。
【発明を実施するための形態】
【００１２】
[詳細な説明]
添付の図面との関連で以下に述べる詳細な説明は、様々な構成の説明であり、本明細書において記載されている概念を実施することができる唯一の構成を表すためのものではない。詳細な説明は、様々な概念の完全な理解を提供するために、具体的な詳細を含む。しかし、これらの具体的な詳細なしにこれらの概念を実施することができることは、当業者には明らかである。いくつかの場合、よく知られている構造および構成要素は、こうした概念を不明瞭にすることを回避するために、ブロック図形式で示される。
【００１３】
次に、様々な装置および方法を参照して、通信システムのいくつかの態様を提示する。これらの装置および方法を、以下の詳細な説明で説明し、様々なブロック、モジュール、構成要素、回路、ステップ、プロセス、アルゴリズムなど（まとめて「要素」と呼ぶ）によって添付の図面に図示する。これらの要素は、電子ハードウェア、コンピュータソフトウェア、またはその任意の組み合わせを使用して実装することができる。こうした要素がハードウェアとして実装されるか、ソフトウェアとして実装されるかは、特定の用途およびシステム全体に課せられる設計の制約によって決まる。
【００１４】
一例として、要素、または要素の任意の部分、または要素の任意の組み合わせは、１つまたは複数のプロセッサを含む「処理システム」で実施することができる。プロセッサの例には、マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲートロジック、個別のハードウェア回路、および本開示の全体にわたって記載されている様々な機能を実行するように構成された他の適したハードウェアなどがある。処理システムにおける１つまたは複数のプロセッサは、ソフトウェアを実行することができる。ソフトウェアは、ソフトウェア、ファームウェア、ミドルウェア、マイクロコード、ハードウェア記述言語、または別の方法で呼ばれようと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能命令、実行スレッド、プロシージャ、関数などを意味するように広く解釈されるものとする。ソフトウェアは、コンピュータ可読媒体にあってもよい。コンピュータ可読媒体には、一例として、磁気ストレージデバイス（例えば、ハードディスク、フロッピー（登録商標）ディスク、磁気ストライプ）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読み取り専用メモリ（ＲＯＭ）、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、レジスタ、取外し可能ディスク、搬送波、伝送線路、およびソフトウェアを格納または送信するための他の任意の適した媒体などがある。コンピュータ可読媒体は、処理システム内にあっても処理システム外にあってもよく、または処理システムを含む複数のエンティティにわたって分散されていてもよい。コンピュータ可読媒体は、コンピュータプログラム製品で具体化することができる。一例として、コンピュータプログラム製品には、実装材料におけるコンピュータ可読媒体がある。本開示の全体にわたって示される記載された機能をどのように実施するかは、特定の用途およびシステム全体に課せられる全体的な設計の制約によって決まることを、当業者であれば理解されよう。
【００１５】
図１は、処理システム１１４を使用する装置１００のハードウェアの実装の一例を示す概念図である。この例では、処理システム１１４は、一般にバス１０２によって表されるバスアーキテクチャによって実施することができる。バス１０２は、処理システム１１４の特定の用途および全体的な設計の制約に応じて、任意の数の相互接続するバスおよびブリッジを含むことができる。バス１０２は、一般にプロセッサ１０４によって表される１つまたは複数のプロセッサと、一般にコンピュータ可読媒体１０６によって表されるコンピュータ可読媒体とを含む様々な回路を連結する。バス１０２は、タイミングソース、周辺機器、電圧レギュレータ、および電力管理回路など様々な他の回路を連結することもでき、これは当分野ではよく知られており、したがって、これ以上説明しない。バスインターフェース１０８は、バス１０２とトランシーバ１１０との間のインターフェースを提供する。トランシーバ１１０は、送信媒体を介して様々な他の装置と通信するための手段を提供する。装置の性質に応じて、ユーザインターフェース１１２（キーパッド、ディスプレイ、スピーカ、マイクロフォン、ジョイスティックなど）を設けることもできる。
【００１６】
プロセッサ１０４は、コンピュータ可読媒体１０６に格納されるソフトウェアの実行を含めて、バス１０２および一般の処理を管理する役割を果たす。ソフトウェアは、プロセッサ１０４によって実行されると、任意の特定の装置の以下に記載される様々な機能を処理システム１１４に実行させる。ソフトウェアを実行するとき、プロセッサ１０４によって操作されるデータを格納するために、コンピュータ可読媒体１０６が使用されてもよい。
【００１７】
図２は、様々な装置１００（図１を参照）を使用するＬＴＥネットワークアーキテクチャ２００を示す図である。ＬＴＥネットワークアーキテクチャ２００は、進化型パケットシステム（ＥＰＳ）２００と呼ばれ得る。ＥＰＳ２００は、１つまたは複数のユーザ機器（ＵＥ）２０２、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）２０４、Ｅｖｏｌｖｅｄ  Ｐａｃｋｅｔ  Ｃｏｒｅ（ＥＰＣ）２１０、ホーム加入者サーバ（ＨＳＳ）２２０、およびオペレータのＩＰサービス２２２を含み得る。ＥＰＳは、他のアクセスネットワークと相互接続することができるが、説明を簡単にするため、こうしたエンティティ／インターフェースは示していない。図示したように、ＥＰＳはパケット交換サービスを提供するが、当業者であればすぐに理解するように、本開示にわたって提示される様々な概念は、回線交換サービスを提供しているネットワークまで拡張することができる。
【００１８】
Ｅ−ＵＴＲＡＮは、進化型ノードＢ（ｅＮｏｄｅＢ）２０６と他のｅＮｏｄｅＢ２０８とを含む。ｅＮｏｄｅＢ２０６は、ＵＥ２０２に対するユーザプレーンおよびコントロールプレーンのプロトコル終了（protocol termination）を提供する。ｅＮｏｄｅＢ２０６は、Ｘ２インターフェース（すなわち、バックホール）を介して、他のｅＮｏｄｅＢ２０８に接続することができる。ｅＮｏｄｅＢ２０６は、当業者によって、基地局、基地トランシーバ局、無線基地局、無線トランシーバ、トランシーバ機能、基本サービスセット（ＢＳＳ）、拡張サービスセット（ＥＳＳ）とも呼ばれ、または他の何らかの適した用語でも呼ばれ得る。ｅＮｏｄｅＢ２０６は、ＵＥ２０２にＥＰＣ２１０へのアクセスポイントを提供する。ＵＥ２０２の例には、携帯電話、スマートフォン、セッション開始プロトコル（ＳＩＰ）電話、ラップトップ、個人用デジタル補助装置（ＰＤＡ）、衛星ラジオ、全地球測位システム、マルチメディアデバイス、ビデオデバイス、デジタル音声プレーヤ（例えば、ＭＰ３プレーヤ）、カメラ、ゲーム機、または他の任意の類似の機能デバイスなどがある。ＵＥ２０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントとも呼ばれ、または他の何らかの適した用語でも呼ばれ得る。
【００１９】
ｅＮｏｄｅＢ２０６は、Ｓ１インターフェースによってＥＰＣ２１０に接続される。ＥＰＣ２１０には、モビリティ管理エンティティ（ＭＭＥ）２１２、他のＭＭＥ２１４、サービングゲートウェイ２１６、およびパケットデータネットワーク（ＰＤＮ）ゲートウェイ２１８などがある。ＭＭＥ２１２は、ＵＥ２０２とＥＰＣ２１０との間のシグナリングを処理する制御ノードである。一般に、ＭＭＥ２１２は、ベアラおよび接続管理を提供する。すべてのユーザＩＰパケットは、サービングゲートウェイ２１６を介して転送され、サービングゲートウェイ自体は、ＰＤＮゲートウェイ２１８に接続される。ＰＤＮゲートウェイ２１８は、ＵＥ  ＩＰアドレス割当て、および他の機能を提供する。ＰＤＮゲートウェイ２１８は、オペレータのＩＰサービス２２２に接続される。オペレータのＩＰサービス２２２には、インターネット、イントラネット、ＩＰマルチメディアサブシステム（ＩＭＳ）、およびＰＳストリーミングサービス（ＰＳＳ）などがある。
【００２０】
図３は、ＬＴＥネットワークアーキテクチャにおけるアクセスネットワークの一例を示す図である。この例では、異種アクセスネットワーク３００が示されている。こうした態様では、ネットワーク３００は、いくつかのセルラー領域（セル）３０２に分割される。１つまたは複数の下部の電力クラスｅＮｏｄｅＢ３０８、３１２は、１つまたは複数のセル３０２と重複するセルラー領域３１０、３１４をそれぞれ有することができる。下部の電力クラスｅＮｏｄｅＢ３０８、３１２は、フェムトセル（femto cell）（例えば、ホームｅＮｏｄｅＢ（ＨｅＮＢ））、ピコセル（pico cell）、またはマイクロセル（micro cell）でもよい。より上位の電力クラスまたはマクロｅＮｏｄｅＢ３０４は、セル３０２に割り当てられ、ＥＰＣ２１０（図２参照）またはセル３０２におけるすべてのＵＥ３０６へのアクセスポイントを提供するように構成される。さらに、異なる電力クラスは、異なる設定を有していてもよい。例えば、マクロｅＮｏｄｅＢ電力クラスは、フェムトｅＮｏｄｅＢ電力クラスとは異なる設定を有していてもよく、フェムトｅＮｏｄｅＢ電力クラスは、ピコｅＮｏｄｅＢ電力クラスとは異なる設定でもよい。アクセスネットワーク３００のこの例では、集中型コントローラはないが、代替の構成で、集中型コントローラが使用されてもよい。ｅＮｏｄｅＢ３０４は、無線ベアラ制御、承認制御、モビリティ制御、スケジューリング、セキュリティ、およびサービングゲートウェイ２１６への接続を含めて、すべての無線関連の機能の役割を果たす。
【００２１】
一態様例では、異種ネットワークは、従来のセルラー基地局（マクロセル；macro cell）に加えて、ピコセルや中継セルなど、下部の電力クラスを有する他のタイプのセルが存在するネットワークを指し得る。電力クラス間の電力差のため、ＵＥがセルによって最も大きな強さを有するＤＬ信号を提供される場合、ＵＥのうちのごく一部のみがピコ／中継セル（例えば、カバレッジ内のＵＥ）に関連付けられ得る。増加したマクロセルの負荷分散およびセル分割ゲインのために、範囲拡張（range expansion）（例えば、ピコセルのＤＬ信号強度がマクロセルからのＤＬ信号強度以下であるときのピコセルの使用）が使用され得る。したがって、サービングピコ／中継セルからのＤＬ信号が干渉するマクロセルＤＬ信号（しかし、サービングピコセルＵＬは、依然としてマクロセルより効率的であり得る）より弱い場合であっても、ＵＥは、ピコ／中継セルによってサービス提供され得る。本明細書において使用される場合、範囲拡張のためにピコ／中継によってサービス提供されるＵＥは、範囲拡張ＵＥと呼ばれ得る。範囲拡張ＵＥは、リソース（例えば、時間／周波数）直交化が使用されないマクロセルからの強いＤＬ干渉を観察することができる。
【００２２】
アクセスネットワーク３００によって使用される変調および多元接続方式は、配置されている特定の通信標準に応じて変わり得る。ＬＴＥの用途では、周波数分割多重（ＦＤＤ）と時分割多重（ＴＤＤ）との両方をサポートするために、ＤＬにおいてＯＦＤＭが使用され、ＵＬにおいてＳＣ−ＦＤＭＡが使用される。当業者であれば以下の詳細な説明から容易に理解できるように、本明細書において提示される様々な概念は、ＬＴＥの用途に十分適している。しかし、これらの概念を、他の変調および多元接続技術を使用する他の通信標準に容易に拡張することができる。一例として、これらの概念は、Ｅｖｏｌｕｔｉｏｎ−Ｄａｔａ  Ｏｐｔｉｍｉｚｅｄ（ＥＶ−ＤＯ）、またはＵｌｔｒａ  Ｍｏｂｉｌｅ  Ｂｒｏａｄｂａｎｄ（ＵＭＢ）に拡張することができる。ＥＶ−ＤＯおよびＵＭＢは、標準のＣＤＭＡ２０００ファミリの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって普及したエアインターフェース標準であり、ＣＤＭＡを使用して、モバイル局へのブロードバンドインターネットアクセスを提供する。これらの概念は、Ｗｉｄｅｂａｎｄ−ＣＤＭＡ（Ｗ−ＣＤＭＡ）およびＣＤＭＡの他の異型、例えばＴＤ−ＳＣＤＭＡなどを使用するＵｎｉｖｅｒｓａｌ  Ｔｅｒｒｅｓｔｒｉａｌ  Ｒａｄｉｏ  Ａｃｃｅｓｓ（ＵＴＲＡ）、ＴＤＭＡを使用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、並びにＯＦＤＭＡを使用するＥｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに拡張することもできる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。実際のワイヤレス通信標準および使用される多元接続技術は、特定の用途、およびシステムに課せられる全体的な設計の制約よって決まる。
【００２３】
ｅＮｏｄｅＢ３０４は、ＭＩＭＯ技術をサポートしている複数のアンテナを有することができる。ＭＩＭＯ技術の使用によって、ｅＮｏｄｅＢ３０４は、空間ドメインを活用して空間多重化、ビームフォーミング、および送信ダイバーシティをサポートすることが可能になる。
【００２４】
空間多重化を使用して、同じ周波数で異なるデータのストリームを同時に送信することができる。データストリームは、データレートを向上させるために単一のＵＥ３０６に、または全体的なシステム容量を増加させるために複数のＵＥ３０６に送信することができる。これは、各データストリームを空間プリコードし、次いでＤＬ上の異なる送信アンテナを介して空間プリコードされた各ストリームを送信することによって達成される。空間プリコードされたデータストリームは、異なる空間シグネチャを有するＵＥ３０６に到着し、これによってＵＥ３０６のそれぞれは、そのＵＥ３０６向けの１つまたは複数のデータストリームを回収することが可能になる。ＵＬにおいて、各ＵＥ３０６は、空間プリコードされたデータストリームを送信し、これによってｅＮｏｄｅＢ３０４は、空間プリコードされた各データストリームのソースを識別することが可能になる。
【００２５】
一般に、チャネル状態が良好であるとき、空間多重化が使用される。チャネル状態があまり良好ではないとき、ビームフォーミングを使用して、１つまたは複数の方向の送信エネルギーを集束することができる。これは、複数のアンテナを介した送信のためにデータを空間プリコードすることによって達成することができる。セルの端部において良好なカバレッジを達成するために、単一ストリームビームフォーミング送信を、送信ダイバーシティとの組み合わせで使用することができる。
【００２６】
以下の詳細な説明において、アクセスネットワークの様々な態様について、ＤＬにおけるＯＦＤＭをサポートするＭＩＭＯシステムを参照して説明する。ＯＦＤＭは、ＯＦＤＭシンボル内のいくつかのサブキャリアにおいてデータを変調するスペクトラム拡散技術である。サブキャリアは、正確な周波数の間隔をあけて配置される。間隔は、受信機がサブキャリアからデータを回収することができる「直交化」を提供する。時間ドメインにおいて、ガードインターバル（例えば、サイクリックプリフィックス）は、ＯＦＤＭシンボル間干渉と闘うために、各ＯＦＤＭシンボルに追加することができる。ＵＬは、ＳＣ−ＦＤＭＡをＤＦＴ拡散ＯＦＤＭ信号の形で使用して、高いピーク対平均電力比（ＰＡＰＲ）を補償することができる。
【００２７】
様々なフレーム構造を使用して、ＤＬおよびＵＬの送信をサポートすることができる。次に、ＤＬフレーム構造の一例を、図４を参照して提示する。しかし、当業者であれば容易に理解できるように、任意の特定の用途のためのフレーム構造は、任意の数の要因に応じて異なり得る。この例では、フレーム（１０ｍｓ）は１０個の等しくサイズ設定されたサブフレームに分割される。各サブフレームは、２つの連続するタイムスロットを含む。
【００２８】
リソースグリッドを使用して２つのタイムスロットを表すことができ、２つのタイムスロットはそれぞれリソースブロックを含む。リソースグリッドは、複数のリソース要素に分割される。ＬＴＥにおいて、リソースブロックは、周波数ドメインに１２個の連続したサブキャリアを含み、各ＯＦＤＭシンボルの標準的なサイクリックプリフィックスでは、時間ドメインに７つの連続したＯＦＤＭシンボル、すなわち８４個のリソース要素を含む。Ｒ４０２、４０４として示されるようなリソース要素のいくつかは、ＤＬ基準信号（ＤＬ−ＲＳ）を含む。ＤＬ−ＲＳは、Ｃｅｌｌに固有のＲＳ（ＣＲＳ）（時として共通ＲＳとも呼ばれる）４０２およびＵＥに固有のＲＳ（ＵＥ−ＲＳ）４０４を含む。ＵＥ−ＲＳ４０４は、対応する物理ダウンリンク共有チャネル（ＰＤＳＣＨ）がマップされるリソースブロック上でだけ送信される。各リソース要素によって運ばれるビットの数は、変調方式によって決まる。したがって、ＵＥがより多くのリソースブロックを受信するほど、また変調方式がより高いほど、ＵＥのデータレートは、より高い。
【００２９】
次にＵＬフレーム構造の一例について、図５を参照して説明する。図５は、ＬＴＥにおけるＵＬのフォーマット例を示す。ＵＬに利用可能なリソースブロックは、データセクションおよび制御セクションに区切ることができる。制御セクションは、システムの帯域幅の２つの端部で形成することができ、構成可能なサイズを有することができる。制御セクションにおけるリソースブロックは、制御情報の送信のためにＵＥに割り当てられ得る。データセクションは、制御セクションに含まれないすべてのリソースブロックを含み得る。図５における設計では、結果として、データセクションが隣接するサブキャリアを含むことなり、それによってデータセクションにおける隣接するサブキャリアのすべてを単一のＵＥに割り当てることができるようになる。
【００３０】
制御情報をｅＮｏｄｅＢに送信するために、制御セクションにおけるリソースブロック５１０ａ、５１０ｂをＵＥに割り当てることができる。ｅＮｏｄｅＢにデータを送信するために、データセクションにおけるリソースブロック５２０ａ、５２０ｂをＵＥに割り当てることもできる。ＵＥは、制御セクションにおける割り当てられたリソースブロックにおいて物理アップリンク制御チャネル（ＰＵＣＣＨ）で制御情報を送信することができる。ＵＥは、データセクションにおける割り当てられたリソースブロックにおいて物理アップリンク共有チャネル（ＰＵＳＣＨ）で、データのみ、またはデータと制御情報との両方を送信することができる。図５に示すように、ＵＬ送信は、サブフレームの両方のスロットに及び、周波数を飛び越すことができる。
【００３１】
図５に示すように、最初のシステムアクセスを実行し、物理ランダムアクセスチャネル（ＰＲＡＣＨ）においてＵＬ同期を達成するために、１組のリソースブロックを使用することができる。ＰＲＡＣＨは、ランダムシーケンスを運び、いかなるＵＬデータ／シグナリングも運ぶことができない。各ランダムアクセスプリアンブルは、６つの連続したリソースブロックに対応する帯域幅を占める。始動周波数は、ネットワークによって指定される。すなわち、ランダムアクセスプリアンブルの送信は、いくつかの時間および周波数リソースに制限される。ＰＲＡＣＨのための周波数ホッピングがない。ＰＲＡＣＨの試行は、単一のサブフレーム（１ｍｓ）で運ばれ、ＵＥは、フレーム（１０ｍｓ）当たり単一のＰＲＡＣＨの試行のみを行うことができる。
【００３２】
ＬＴＥにおけるＰＵＣＣＨ、ＰＵＳＣＨ、およびＰＲＡＣＨは、３ＧＰＰ  ＴＳ  ３６．２１１に、「Evolved Universal Terrestrial Radio Access (E-UTRA); Physical Channels and Modulation」という名称で記載されており、これは一般公開されている。
【００３３】
無線プロトコルアーキテクチャは、特定の用途に応じて様々な形をとることができる。次に、ＬＴＥシステムの一例について、図６を参照して説明する。図６は、ユーザプレーンおよびコントロールプレーンの無線プロトコルアーキテクチャの一例を示す概念図である。
【００３４】
図６を参照すると、ＵＥおよびｅＮｏｄｅＢの無線プロトコルアーキテクチャは、３つの層、層１、層２、および層３を備えて示される。層１は、最下層で、様々な物理層信号処理機能を実施する。層１は、本明細書では物理層６０６と呼ぶ。層２（Ｌ２層）６０８は、物理層６０６より上にあり、物理層６０６上のＵＥとｅＮｏｄｅＢとの間のリンクの役割を果たす。
【００３５】
ユーザプレーンにおいて、Ｌ２層６０８は、メディアアクセス制御（ＭＡＣ）サブレイヤ６１０、無線リンク制御（ＲＬＣ）サブレイヤ６１２、およびパケットデータ収束プロトコル（ＰＤＣＰ）６１４サブレイヤを含み、これらは、ネットワーク側のｅＮｏｄｅＢで終了する。図示していないが、ＵＥは、ネットワーク側のＰＤＮゲートウェイ２０８（図２を参照）で終了するネットワーク層（例えばＩＰ層）、および接続（例えば、遠端ＵＥ、サーバなど）の他端で終了するアプリケーション層を含むＬ２層６０８より上のいくつかの上位層を有し得る。
【００３６】
ＰＤＣＰサブレイヤ６１４は、異なる無線ベアラと論理チャネルとの間の多重化を提供する。ＰＤＣＰサブレイヤ６１４は、無線送信オーバーヘッドを低減するための上位層データパケットのヘッダ圧縮、データパケットを暗号化することによるセキュリティ、およびｅＮｏｄｅＢ間のＵＥのハンドオーバーサポートも提供する。ＲＬＣサブレイヤ６１２は、ハイブリッド自動再送要求（ＨＡＲＱ）による受信障害を補償するために、上位層データパケットのセグメント化および再アセンブリ、損失したデータパケットの再送、およびデータパケットの並べ替えを提供する。ＭＡＣサブレイヤ６１０は、論理チャネルとトランスポートチャネルとの間の多重化を提供する。ＭＡＣサブレイヤ６１０は、ＵＥ間の１つのセルに様々な無線リソース（例えば、リソースブロック）を割り当てる役割も果たす。ＭＡＣサブレイヤ６１０は、ＨＡＲＱ操作の役割も果たす。
【００３７】
コントロールプレーンにおいて、ＵＥおよびｅＮｏｄｅＢの無線プロトコルアーキテクチャは、コントロールプレーンのヘッダ圧縮機能がないことを除いて、物理層６０６およびＬ２層６０８の場合と実質的に同じである。コントロールプレーンは、層３に無線リソース制御（ＲＲＣ）サブレイヤ６１６も含む。ＲＲＣサブレイヤ６１６は、無線リソース（すなわち、無線ベアラ）を取得し、ｅＮｏｄｅＢとＵＥとの間のＲＲＣシグナリングを使用する下位層を構成する役割を果たす。
【００３８】
図７は、アクセスネットワークにおけるＵＥ７５０と通信するｅＮｏｄｅＢ７１０のブロック図である。ＤＬにおいて、コアネットワークからの上位層パケットは、コントローラ／プロセッサ７７５に提供される。コントローラ／プロセッサ７７５は、図６との関連で上述したＬ２層の機能を実施する。ＤＬにおいて、コントローラ／プロセッサ７７５は、様々な優先順位のメトリックに基づいて、ヘッダ圧縮、暗号化、パケットのセグメント化および並べ替え、論理チャネルとトランスポートチャネルとの間の多重化、およびＵＥ７５０への無線リソースの割当てを提供する。コントローラ／プロセッサ７７５は、ＨＡＲＱ操作、損失したパケットの再送、およびＵＥ７５０に対するシグナリングの役割も果たす。
【００３９】
ＴＸプロセッサ７１６は、Ｌ１層（すなわち、物理層）のための様々な信号処理機能を実施する。信号処理機能は、ＵＥ７５０で前方誤り訂正（ＦＥＣ）を容易にするための符号化およびインターリービング、並びに様々な変調方式（例えば、２位相偏移キーイング（ＢＰＳＫ）、四位相偏移キーイング（ＱＰＳＫ）、Ｍ位相偏移キーイング（Ｍ−ＰＳＫ）、Ｍ直交振幅変調（Ｍ−ＱＡＭ））に基づく信号点配置に対するマッピングを含む。次いで符号化され変調されたシンボルは、平行したストリームに分割される。次いで、各ストリームは、ＯＦＤＭサブキャリアにマッピングされ、時間および／または周波数ドメインにおいて基準信号（例えばパイロット）によって多重化され、逆高速フーリエ変換（ＩＦＦＴ）を使用して結合されて、時間ドメインＯＦＤＭシンボルストリームを運ぶ物理チャネルが生成される。ＯＦＤＭストリームは、複数の空間ストリームを生成するために、空間プリコードされる。チャネル推定器７７４からのチャネル推定は、空間処理の場合と同様に、符号化および変調方式を決定するために使用することができる。チャネル推定は、ＵＥ７５０によって送信される基準信号および／またはチャネル状態フィードバックから導出され得る。次いで、各空間ストリームは、個別の送信機７１８ＴＸを介して異なるアンテナ７２０に提供される。各送信機７１８ＴＸは、それぞれの空間ストリームを有するＲＦ搬送波を変調して送信する。
【００４０】
ＵＥ７５０で、各受信機７５４ＲＸは、それぞれのアンテナ７５２を介して信号を受信する。各受信機７５４ＲＸは、ＲＦ搬送波上で変調された情報を回収し、情報を受信機（ＲＸ）プロセッサ７５６に提供する。
【００４１】
ＲＸプロセッサ７５６は、Ｌ１層の様々な信号処理機能を実施する。ＲＸプロセッサ７５６は、ＵＥ７５０向けの任意の空間ストリームを回収するために、情報における空間処理を実行する。複数の空間ストリームは、ＵＥ７５０向けの場合、ＲＸプロセッサ７５６によって単一のＯＦＤＭシンボルストリームに結合することができる。次いで、ＲＸプロセッサ７５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとの個別のＯＦＤＭシンボルストリームを備える。各サブキャリアにおけるシンボル、および基準信号は、ｅＮｏｄｅＢ７１０によって送信される最も見込みのある信号点配置位置を決定することによって回収され、復調される。これらの軟判定は、チャネル推定器７５８によって計算されるチャネル推定に基づいてもよい。次いで、軟判定は、もともと物理チャネル上でｅＮｏｄｅＢ７１０によって送信されたデータおよび制御信号を回収するために、復号され、デインターリーブされる。次いで、データおよび制御信号は、コントローラ／プロセッサ７５９に提供される。
【００４２】
コントローラ／プロセッサ７５９は、図６との関連で上述したＬ２層を実装する。ＵＬにおいて、コントロール／プロセッサ７５９は、上位層パケットをコアネットワークから回収するために、トランスポートチャネルと論理チャネルとの間の多重分離、パケット再アセンブリ、解読、ヘッダの復元、制御信号処理を提供する。次いで、上位層パケットは、Ｌ２層より上のすべてのプロトコル層を表すデータシンク７６２に提供される。様々な制御信号を、Ｌ３処理のためにデータシンク７６２に提供することもできる。コントローラ／プロセッサ７５９は、ＨＡＲＱ操作をサポートするために、肯定応答（ＡＣＫ）および／または否定応答（ＮＡＣＫ）プロトコルを使用したエラー検出の役割も果たす。
【００４３】
ＵＬにおいて、データソース７６７を使用して、上位層パケットをコントローラ／プロセッサ７５９に提供する。データソース７６７は、Ｌ２層（Ｌ２）より上のすべてのプロトコル層を表す。ｅＮｏｄｅＢ７１０によるＤＬ送信との関連で説明した機能と同様に、コントローラ／プロセッサ７５９は、ｅＮｏｄｅＢ７１０による無線リソースの割当てに基づいて、ヘッダ圧縮、暗号化、パケットのセグメント化および並べ替え、並びに論理チャネルとトランスポートチャネルとの間の多重化を提供することによって、ユーザプレーンおよびコントロールプレーンのＬ２層を実装する。コントローラ／プロセッサ７５９は、ＨＡＲＱ操作、損失したパケットの再送、およびｅＮｏｄｅＢ７１０に対するシグナリングの役割も果たす。
【００４４】
ｅＮｏｄｅＢ７１０によって送信された基準信号またはフィードバックからチャネル推定器７５８によって導出されたチャネル推定は、ＴＸプロセッサ７６８によって、適切な符号化および変調方式を選択し、空間処理を容易にするために使用されてもよい。ＴＸプロセッサ７６８によって生成される空間ストリームは、個別の送信機７５４ＴＸを介して異なるアンテナ７５２に提供される。各送信機７５４ＴＸは、それぞれの空間ストリームを有するＲＦ搬送波を変調して送信する。
【００４５】
ＵＬ送信は、ＵＥ７５０で受信機機能との関連で説明したものと類似の方法で、ｅＮｏｄｅＢ７１０で処理される。各受信機７１８ＲＸは、それぞれのアンテナ７２０を介して信号を受信する。各受信機７１８ＲＸは、ＲＦ搬送波上で変調された情報を回収し、情報をＲＸプロセッサ７７０に提供する。ＲＸプロセッサ７７０は、Ｌ１層を実装する。
【００４６】
コントローラ／プロセッサ７５９は、図６との関連で上述したＬ２層を実装する。ＵＬにおいて、コントロール／プロセッサ７５９は、上位層パケットをＵＥ７５０から回収するために、トランスポートチャネルと論理チャネルとの間の多重分離、パケット再アセンブリ、解読、ヘッダの復元、制御信号処理を提供する。コントローラ／プロセッサ７７５からの上位層パケットは、コアネットワークに提供され得る。コントローラ／プロセッサ７５９は、ＨＡＲＱ操作をサポートするために、ＡＣＫ／ＮＡＣＫプロトコルを使用したエラー検出の役割も果たす。
【００４７】
図１との関連で説明した処理システム１１４は、ｅＮｏｄｅＢ７１０を含む。特に、処理システム１１４は、ＴＸプロセッサ７１６、ＲＸプロセッサ７７０、およびコントローラ／プロセッサ７７５を含む。
【００４８】
図８は、一態様による、異種ネットワーク８００における単一周波数ネットワーク上のマルチメヂア放送（ＭＢＳＦＮ; Multimedia Broadcast over a Single Frequency Network）サブフレームアライメントを示すブロック図である。図８に示すように、異種ネットワーク８００は、ＭＢＳＦＮサブフレーム８０８および非ＭＢＳＦＮサブフレーム８０６が１つまたは複数のマクロセル８０２およびピコセル８０４にあるように表される。さらに、各サブフレームは、制御情報を伝えることができる制御８１０の領域を含む。サブフレームの残りは、データ８１４を伝えるために使用してもよく、および／または空白８１２のままでもよい。
【００４９】
ＬＴＥ  Ｒｅｌ−８では、制御およびデータは、時分割多重送信される。制御領域は、常にシステム帯域幅全体に及び、少なくとも１つのＯＦＤＭシンボルを占め得る。さらに、ＣＲＳ、物理制御フォーマットインジケータチャネル（ＰＣＦＩＣＨ）、および物理ハイブリッドＡＲＱインジケータチャネル（ＰＨＩＣＨ）を制御領域において確保し、および／または送信することができる。例えば、一態様では、ＰＨＩＣＨを確保することができ、ｅＮｏｄｅＢ７１０は、ＰＨＩＣＨのためのゼロ送信電力を選択することができ、それによって事実上、ＰＨＩＣＨは送信されない。さらに、物理ダウンリンク制御チャネル（ＰＤＣＣＨ）は、少なくともページングの目的で送信することができる。したがって、時間ドメインリソース直交化が使用される場合、範囲拡張ＵＥでは、少なくとも１つの制御シンボルはマクロセルによって干渉され得る。一方、サブフレームをＭＢＳＦＮサブフレームとして構成することを介してサブフレームのデータ領域を空白にすることができ、したがって、データ領域における完全なリソース直交化が可能である。
【００５０】
図８に戻ると、一態様例で、ネットワーク８００は、ＭＢＳＦＮベースの時間ドメインリソース直交化を使用するように動作可能とすることができ、そこにおいて、マクロセル８０２とピコセル８０４とが同期していてもよい。一態様では、マクロセル８０２の非ＭＢＳＦＮサブフレーム８０６がピコセル８０４のＭＢＳＦＮサブフレーム８０８と一致し得るように、サブフレーム（８０６、８０８）の時間シフトを適用することができる。別の態様において、時間シフトが適用されなくてもよい。さらに別の態様において、サブフレームタイプ（例えば、非ＭＢＳＦＮ８０６、ＭＢＳＦＮ８０８など）は、相補的でなくてもよい。例えば、マクロセル８０２のＭＢＳＦＮサブフレーム８０８は、ピコセル８０４のＭＢＳＦＮまたは非ＭＢＳＦＮサブフレームと衝突し得る。また、他の例では、マクロセル８０２の非ＭＢＳＦＮサブフレーム８０６は、ピコセル８０４のＭＢＳＦＮまたは非ＭＢＳＦＮサブフレームと衝突し得る。示した態様において、マクロセル８０２が非ＭＢＳＦＮサブフレーム８０６であるとき、ピコセル８０４は、ＭＢＳＦＮサブフレーム８０８または非ＭＢＳＦＮサブフレーム８０６のいずれかを有し得る。後者の場合、ピコセル８０４は、ＵＥにカバレッジ領域を提供することができる。こうした動作可能な構成において、ピコセル８０４は、マクロセル８０２からの干渉が低減された状態で、ピコセル８０４によってサービス提供されるＵＥとのＤＬ通信を実行することができる。
【００５１】
さらに、マクロセル８０２のＭＢＳＦＮサブフレーム８０８の一部は空白８１２でもよいが、制御情報８１０は、依然として送信することができ、したがって、ピコセル８０４によって送信される制御情報８１０への干渉を引き起こす可能性がある。動作中、マクロセルおよびピコセルの制御情報８１０、空白８１２、データ８１４などに割り当てられる様々な領域が配置されなくてもよい。別の動作上の態様において、マクロセルおよびピコセルの制御情報８１０、空白８１２、データ８１４などに割り当てられる様々な領域は、同じサイズでなくてもよい。
【００５２】
この干渉の低減を試みるために、複数の方式を使用することができる。例えば、マクロセル８０２は、ＭＢＳＦＮサブフレーム８０８のための送信電力を低減することができる。こうした構成例において、ネットワーク８００は、同種のネットワークとして機能することができ、従来のリソース管理を採用することができる。一方、セル端のＵＥは、低減したカバレッジを経験し得る。別の例では、完全に空白のサブフレームがマクロセル８０２によって使用され得る。こうした構成例において、クリーンで完全なリソース直交化をピコセル８０４のＤＬ送信に使用可能とすることができる。一方、例えば、損失した測定、チャネル推定、ＨＡＲＱ動作など古いＵＥとの潜在的な後方互換性の問題が起こり得る。他の例では、制御情報は、サブフレームのデータ８１４セクションにおいて伝えることができる。こうした構成例において、完全なリソース直交化をピコセル８０４のＤＬ送信に使用可能とすることができる。一方、以前データに使用可能であったサブフレームの一部がもはや使用不可である場合があり、古いＵＥとの潜在的な後方互換性の問題が起こり得る。別の例では、ＵＥは、干渉除去を実行することができる。こうした構成例において、マクロセル８０２の干渉を低減することができる。一方、ＵＥベースの干渉除去は、結果としてＵＥ設計の複雑さの増加をもたらす場合があり、古いＵＥとの潜在的な後方互換性の問題が起こり得る。
【００５３】
一態様では、制御領域８１０におけるマクロセル８０２からピコセル８０４への干渉を最低限に抑えるために、ピコセル８０４の送信中に、マクロセル８０２のＭＢＳＦＮサブフレーム８０８における制御領域８１０の送信電力を制限することができる。換言すれば、標準ＰＳＤを使用したマクロセル８０２の制御領域８１０の送信の代わりに、制限されたＰＳＤを、使用することができる。一態様では、制限されたＰＳＤは、ピコセル８０４に関連付けられたＵＥのカバレッジ制約に基づいていてもよい。例えば、マクロセル８０２  ＰＳＤがピコセル８０４において送信されるＰＳＤと同等となるように、制限されたＰＳＤを使用することができる。したがって、ピコセル８０４によってサービス提供されるＵＥ（例えば、範囲拡張ＵＥ）は、制御領域８１０におけるサービングピコセル８０４からの改良されたＤＬ信号の受信を経験することができる。
【００５４】
一態様では、マクロ制御領域ＰＳＤの変更されたまたは制限されたＰＳＤを、チャネルごとに扱うことができる。例えば、ＣＲＳ、ＰＣＦＩＣＨ、ＰＨＩＣＨ、またはＰＤＣＣＨなど、いくつかのチャネルを制限することができる。一態様では、ＰＣＦＩＣＨに関して、他の制御信号（例えば、ＰＨＩＣＨまたはＰＤＣＣＨ）が送信に予定されていない場合、ＰＣＦＩＣＨを、最小電力またはゼロ電力で送信することができる。一態様では、ＰＨＩＣＨに関して、送信が予定されていない場合、ＰＨＩＣＨ送信は中断され得る。そうでない場合、ＰＨＩＣＨは、制限されたＰＳＤおよび／または特定のＵＥ要件を満たすように制御される電力で送信することができる。一態様では、ＰＤＣＣＨに関して、送信が予定されていない場合、ＰＤＣＣＨ送信は中断され得る。そうでない場合、ＰＤＣＣＨは、制限されたＰＳＤおよび／または特定のＵＥ要件を満たすように制御される電力で送信することができる。
【００５５】
一態様では、変更されたまたは制限されたＰＳＤ方式を、同期または非同期のいずれかのシステムで使用することができる。同期システムに関して、後方互換性の問題は、サブフレーム選択によって対処することができる。例えば、ＬＴＥ  Ｒｅｌ−８における確保されたサブフレーム（例えば、ＦＤＤのサブフレーム０、４、５、および９、並びにＴＤＤのサブフレーム０、１、５、および６）の間に測定が行われるとき、ＬＴＥ  Ｒｅｌ−８  ＵＥ測定に対する任意の影響を制御する、または取り除くことさえできる。さらに、選択された確保されたサブフレームは、ＭＢＳＦＮサブフレームとして構成することができない。チャネル推定に関して、２つ以上の隣接するサブフレームがチャネル推定のために使用される場合、古いＵＥ（例えば、Ｒｅｌ−８  ＵＥ）は問題を経験し得る。
【００５６】
さらに、同期システムにおいて、ＰＳＤ制限が適用されるとき、システム全体は、時間とともに異種と同種の両方の特徴を呈し得る。例えば、マクロセル８０２が非ＭＢＳＦＮサブフレーム８０８であるとき、ピコセル８０４はＭＢＳＦＮまたは非ＭＢＳＦＮのいずれかであり得るので、これらのサブフレームは、異種ネットワークの特性を呈する。これに対して、マクロセル８０２がＭＢＳＦＮサブフレーム８０８であるとき、低減されたＰＳＤ送信のため、これらのサブフレームは、同種ネットワークの特性を呈する。これらの準同種ネットワークの特性は、ＵＥがピコセル８０４をＤＬ送信の質に基づいてサービングセルとして選択することができるなどの利点を可能にし得る。これは、ピコセル８０４のサブフレーム０、４、５、および９が制御領域において低減された送信電力のマクロセル８０２のＭＢＳＦＮサブフレーム８０８と一致するときに該当し得る。
【００５７】
さらに、上述したように、完全に空白のサブフレームの使用と比べて、制限されたＰＳＤの使用は、マクロセル８０２のＰＨＩＣＨおよびＵＬハイブリッドＡＲＱのサポートを単純化する。その理由は、これらのサブフレームにおける干渉レベルが同種ネットワークの特性を呈し得るため、ＰＨＩＣＨは、依然としてマクロセル８０２のＭＢＳＦＮサブフレーム８０８の制御領域８１０から送信されるからである。さらに、ネットワーク８００において、すべてのマクロセル８０２は、同期することができ、ＭＢＳＦＮおよび非ＭＢＳＦＮのサブフレームの同じ混合を使用して構成することができる。一態様では、ネットワーク８００におけるすべてのマクロセル８０２のＭＢＳＦＮサブフレームは、制御領域８１０における低減された送信電力（例えば、変更されたＰＳＤ）の同じまたは類似の値を有することができる。チャネル推定および測定に関して、制限されたＰＳＤ方式の使用は、ＭＢＳＦＮサブフレーム８０８の制御領域８１０における電力の低減の量に依存していてもよく、一般に、空白のサブフレームの手法のものほど厳しくなくてもよい。さらに、空白のサブフレームの使用は、より新しいＵＥ（例えば、Ｅａｌ−９＋）のための制御信号を再設計するためのクリーンな構造を提供することができ、制限されたＰＳＤの使用は、既存のＭＢＳＦＮサブフレーム８０８の構造を使用することができ、これらのＭＢＳＦＮサブフレーム８０８には、制御のために構成された少なくとも１つのシンボルがあり得る。
【００５８】
さらに、非制限のＰＳＤ構成と比べて、そうでなければこれらのシンボルがマクロセル８０２のＭＢＳＦＮサブフレーム８０８の制御領域８１０と衝突するとき、制限されたＰＳＤ方式の使用は、ピコセル８０４の制御シンボル８１０での制御情報のサポート送信を提供することができる。したがって、制限されたＰＳＤ方式の使用によって、より新しいＵＥ（例えば、Ｒｅｌ−９＋ＵＥ）の制御の再設計を必要とせずに、既存の制御構造（例えば、Ｒｅｌ−８）を再利用することができる。さらに、制限されたＰＳＤ方式の使用によって、異種ネットワークにおいて古いＵＥ（例えば、Ｒｅｌ−８  ＵＥ）を容易にサポートすることができる。さらに、制限されたＰＳＤ方式の使用は、測定およびチャネル推定に影響を与え得る。例えば、干渉制限とは対照的に、システムが熱制限されている場合、ＰＳＤ制限されたＭＢＳＦＮサブフレーム８０８のＰＨＩＣＨのサポートは危うい場合がある。換言すれば、干渉制限された構成では、ＭＢＳＦＮサブフレーム８０８でのＰＨＩＣＨカバレッジを、マクロセル８０２の非ＭＢＳＦＮサブフレーム８０６のものと比較することができる。
【００５９】
非同期システムにおいて、ＰＳＤ制限方式の適用は、ＰＳＤ制限方式が使用されない場合とは異なり、チャネル推定に影響を及ぼさない場合がある。非同期システムでの測定に関して、ＵＥは、サービングピコセル８０４が非ＭＢＳＦＮサブフレームであるとき、ＭＢＳＦＮサブフレームを使用して隣接したセルを測定することができる。一態様では、古いＵＥ（例えば、Ｒｅｌ−８  ＵＥ）は、隣接したセルが非ＭＢＳＦＮサブフレーム８０６またはＭＢＳＦＮサブフレーム８０８を使用しているかどうかを知ることができない場合がある。したがって、ＰＳＤ制限方式の使用は、隣接したセルからの信号強度を測定することに影響を与え得る。一態様では、マクロセル８０２は、バックホールを介して隣接したセル中で電力制限レベルおよび同期オフセットに関する情報を交換することができ、したがって、サービングピコセル８０４は、ＵＥが報告した隣接セル強度から受信された情報を超えて、調整を行うことができる。一態様では、信号強度が閾値未満であるとき、隣接したセルにおけるＰＳＤ制限に応じて、ＵＥは隣接したセルの信号を報告しない場合がある。別の態様では、隣接セル強度測定は、隣接したセルのサブフレームタイプ（例えば、サブフレームはＭＢＳＦＮおよび非ＭＢＳＦＮのサブフレームの混合とすることができる）によって影響を受けることがある。別の態様では、ＵＥは、隣接したセルのための同期オフセットを推定することができる。またさらに、一態様では、異なるマクロセル８０２は、同じまたは異なる電力制限レベルを適用することができる。別の態様では、ＰＳＤ制限レベルがすべてのＭＢＳＦＮサブフレーム８０８に適用されない場合があり、セルにおける制限レベルは、ＭＢＳＦＮサブフレーム８０８にわたって同じであってもよく、または異なっていてもよい。一態様では、電力制限レベルは、すべてのセルにわたって同じでもよい。しかし、別の態様では、様々なセル立体角投射率に基づいて、異なるセルにおいて、異なる電力制限レベルが使用されてもよい。
【００６０】
電力制限が適用される１つの動作可能な態様において、サブフレームは、正規のＭＢＳＦＮサブフレームとして分析することができる。電力制限が停止の送信を完了する他の動作態様において、サブフレームは、空白のサブフレームであるかのように分析することができる。したがって、電力制限の程度は、ピコセル８０４に対するマクロセル８０２の干渉の影響と、マクロセル８０２によってサービス提供されているＵＥへの、これらのサブフレームの制御領域アクセス可能性との間のトレードオフを提供する。
【００６１】
別の態様では、どのサブフレームが制御領域において電力制限されるか、およびこれらのサブフレームの任意の対応する制限レベルについて、ＵＥ（例えば、Ｒｅｌ−９＋ＵＥ）に知らせることができる。したがって、より新しいＵＥ（例えば、Ｒｅｌ−９＋ＵＥ）は、チャネル推定および測定をより効果的に実行するために、これらのサブフレームの制御情報を検出するように動作可能とすることができる。さらに別の態様では、送信電力のさらなる減少のために、制御領域８１０において適用されるＰＳＤ制限を、空白およびデータ領域（８１２、８１４）と結合することもできる。
【００６２】
さらに、または代わりに、一態様では、ピコセル８０４におけるＭＢＳＦＮサブフレームの一部または全部の制御領域の送信電力ＰＳＤ（総最大電力制限の内の）を増加させ、マクロセル８０２によってサービス提供されているＵＥに広範な影響をもたらすことなく、範囲ピコセル８０４によってサービス提供されているＵＥ（例えば、拡張ＵＥ）について、制御領域がより深い浸透力を有するようにすることができる。一態様では、ＣＲＳが帯域全体を通じて送信されることになっている場合、１つの送信アンテナでは、１０＊ｌｏｇ１０（６）＝７．８ｄＢまでの電力増加を達成することができる。さらに、２つの送信アンテナでは、電力増加は、１０＊ｌｏｇ１０（３）＝４．８ｄＢに低下し得る。しかし、ＵＬ  ＨＡＲＱの動作では、ピコセル８０４のＭＢＳＦＮサブフレーム８０８の制御領域において、１つのＵＬ  ＨＡＲＱの高信頼性で通信することが好ましい場合がある。こうした態様において、ＣＲＳは、帯域幅全体を介して送信されない場合があり、代わりに、ＣＲＳは、ＰＣＦＩＣＨおよびＰＨＩＣＨによって占められる帯域幅の一部分に制限され得る。一動作例において、ＰＣＦＩＣＨは、４つのリソース要素グループ（ＲＥＧ）に分散することができ、各ＲＥＧは、４つのリソース要素を含むことができる。さらに、ＰＨＩＣＨによって占められる帯域幅は、システム帯域幅の約１／１６から３／４とすることができる。したがって、ＣＲＳは、ＲＥＧを使用して送信することができる。１０ＭＨｚ、５０個のＲＢを仮定すると、ＰＨＩＣＨグループのサイズは、２個までも小さくすることができ、これはＲＥＧが６個ということになる。合計で１０個のＲＥＧがＰＣＦＩＣＨおよびＰＨＩＣＨを運ぶことができ、これはＲＢが５個ということになり、ＣＲＳはこれらの５個のＲＢ内で送信することができる。したがって、１０ｄＢの電力増加を達成することができる。
【００６３】
図９は、ワイヤレス通信の方法のフローチャート９００である。この方法は、第１のｅＮｏｄｅＢ  ＤＬ送信が第２のｅＮｏｄｅＢ  ＤＬ送信と干渉し得ることを決定すること（９０２）を含み得る。一態様では、第１のｅＮｏｄｅＢは、第１の電力クラスｅＮｏｄｅＢ（例えば、マクロセル、フェムトセルなど）とすることができ、第２のｅＮｏｄｅＢは、第２の電力クラスｅＮｏｄｅＢ（例えば、ピコセル、マクロセルなど）とすることができる。こうした一態様では、第１および第２のｅＮｏｄｅＢは、異なる電力クラスとすることができる。一態様では、ＤＬ送信は、指定されたサブフレームの間の送信を含むことができる。こうした一態様では、第１のｅＮｏｄｅＢのサブフレームは、ＭＢＳＦＮサブフレームとすることができ、第２のｅＮｏｄｅＢのサブフレームは、非ＭＢＳＦＮサブフレームとすることができる。
【００６４】
さらに、この方法は、第１または第２のｅＮｏｄｅＢうちの少なくとも一方のＤＬ送信の一部分のためのＰＳＤを変更すること（９０４）を含むことができる。一態様では、変更することは、第１のｅＮｏｄｅＢによって送信されるサブフレームの制御領域のＰＳＤを低減することを含み得る。こうした態様では、制御領域の通信の一部のみのＰＳＤを低減することができる。例えば、ＰＳＤの低減は、チャネルごとに実行することができる。一態様では、変更されるＰＳＤを有することができるチャネルには、それだけには限定されないが、ＣＲＳ、ＰＣＦＩＣＨ、ＰＨＩＣＨ、またはＰＤＣＣＨなどがある。別の態様では、いくつかのチャネルは、第２のｅＮｏｄｅＢによって送信されるＤＬ制御チャネル情報と干渉するサブフレームを回避するような方法で、送信に予定することができる。一態様では、変更することは、第２のｅＮｏｄｅＢによって送信されるサブフレームの制御領域のＰＳＤを増加させることを含み得る。別の態様では、第１のｅＮｏｄｅＢのＰＳＤを低減し、第２のｅＮｏｄｅＢのＰＳＤを増加させることの任意の組み合わせを使用することができる。別の態様では、選択された数のサブフレームは、ＰＳＤの変更を有し得る。一態様では、選択されたサブフレームを、第２のｅＮｏｄｅＢによってサービス提供される第２のｅＮｏｄｅＢおよび／またはＵＥに伝えることができる。
【００６５】
さらに、および／または代わりに、この方法は、第２のｅＮｏｄｅＢ  ＤＬ送信の干渉が１つまたは複数の他のセルから来る可能性があるかどうかを決定することができる（９０６）。第２のｅＮｏｄｅＢ  ＤＬ送信の干渉が１つまたは複数の他のセルから来る可能性があると決定された場合、第１または第２のｅＮｏｄｅＢは、他のセルの１つまたは複数のｅＮｏｄｅＢに、第２のｅＮｏｄｅＢが通信している間、サブフレームのＰＳＤの低減を実行させることができる（９０８）。一態様では、すべてのセルは、同じＰＳＤ変更方式を使用することができる。別の態様では、各セルは、各セルおよび／または影響を受けたＵＥに関連付けられた要因に応じて異なるように、ＤＬ送信のＰＳＤを変更することができる。
【００６６】
さらに、この方法は、変更されたＰＳＤ値を使用してＤＬ通信を送信する（９１０）ことを含み得る。例えば、第１のｅＮｏｄｅＢは、低減されたＰＳＤでのサブフレームの間に、制御情報の一部を送信することができ、および／または、第２のｅＮｏｄｅＢは、サブフレームの間に、増加したＰＳＤで少なくとも制御情報を送信することができる。
【００６７】
図１０は、装置例１００の機能を示す概念ブロック図１０００である。装置１００は、非変更のＰＳＤを使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定するモジュール１００２と、第１の電力クラスまたは第２の電力クラスｅＮｏｄｅＢのうちの少なくとも一方のサブフレームのうちの少なくとも１つの第１または第２の制御領域のうちの少なくとも一方の一部分のためのＰＳＤを変更するためのモジュール１００４と、制御情報の第１のインスタンスの一部分の変更されたＰＳＤを使用して、制御領域の間に制御情報の第１のインスタンスを送信するモジュール１００６とを含む。
【００６８】
図１および図７を参照すると、一構成で、ワイヤレス通信のための装置１００は、非変更のＰＳＤを使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定するための手段と、第１の電力クラスまたは第２の電力クラスｅＮｏｄｅＢのうちの少なくとも一方のサブフレームのうちの少なくとも１つの第１または第２の制御領域のうちの少なくとも一方の一部分のためのＰＳＤを変更するための手段と、制御情報の第１のインスタンスの一部分のための変更されたＰＳＤを使用して、制御領域の間に制御情報の第１のインスタンスを送信するための手段とを含む。別の構成では、装置１００は、第１の電力クラスｅＮｏｄｅＢのサブフレームの第１の制御領域の一部分のためのＰＳＤを低減するための手段を含む。別の構成では、装置１００は、制御領域の間に送信に予定された１つまたは複数のチャネルのためのＰＳＤを低減するための手段を含み、１つまたは複数のチャネルは、ＣＲＳ、ＰＣＦＩＣＨ、ＰＨＩＣＨ、またはＰＤＣＣＨのうちの少なくとも１つを備える。別の構成では、装置１００は、結果として第２の電力クラスｅＮｏｄｅＢのサブフレームのサブフレームへの干渉をもたらす第１の電力クラスｅＮｏｄｅＢのサブフレーム以外のサブフレームの制御チャネル情報の送信を予定するための手段を含む。別の構成では、装置１００は、複数のサブフレームのうちのどの１つまたは複数が変更されたＰＳＤを使用して送信されるかを示すメッセージを送信するための手段を含む。こうした一態様では、メッセージは、第２の電力クラスｅＮｏｄｅＢによってサービス提供される第２の電力クラスｅＮｏｄｅＢまたは１つまたは複数のＵＥのうちの少なくとも一方に送信され得る。別の構成では、装置１００は、１つまたは複数の他の第１の電力クラスｅＮｏｄｅＢからの送信が第２の電力クラスｅＮｏｄｅＢのサブフレームにおける第２の制御領域での制御情報の第２のインスタンスの送信への閾値を上回る干渉をもたらすことを決定するための手段と、第１の電力クラスｅＮｏｄｅＢのサブフレームの間に、１つまたは複数の他の第１の電力クラスｅＮｏｄｅＢのうちの少なくとも１つに対応するサブフレームの送信のＰＳＤを変更させるための手段とを含む。別の構成では、装置１００は、第２の電力クラスｅＮｏｄｅＢのサブフレームの第２の制御領域の一部分のためのＰＳＤを増加させるための手段を含む。上述した手段は、上述した手段によって詳述される機能を実行するように構成される処理システム１１４である。上述したように、処理システム１１４は、ＴＸプロセッサ７１６、ＲＸプロセッサ７７０、およびコントローラ／プロセッサ７７５を含む。したがって、一構成では、上述した手段は、上述した手段によって詳述される機能を実行するように構成されたＴＸプロセッサ７１６、ＲＸプロセッサ７７０、およびコントローラ／プロセッサ７７５とすることができる。
【００６９】
開示されたプロセスにおけるステップの特定の順序または階層は手法例の実例であることを理解されたい。設計の選好に基づいて、プロセスにおけるステップの特定の順序または階層を再編成することができることを理解されたい。付随的な方法クレームは、サンプルの順序における様々なステップの要素を提示しており、提示される特定の順序または階層に限定されるものではない。
【００７０】
上記の説明は、本明細書において記載されている様々な態様を任意の当業者が実施することができるように提供されている。これらの態様に対する様々な変更は、当業者にとっては容易に明らかであり、本明細書において定義される一般的な原理を他の態様に適用することができる。したがって、特許請求の範囲は、本明細書に示される態様に限定されるものではなく、特許請求の範囲の言い回しと一致する十分な範囲が与えられるものとし、単数の要素への言及は、特に明記しない限り、「唯一のもの」を意味するのではなく、むしろ「１つまたは複数」を意味するものとする。特に明記しない限り、「いくつか」という用語は１つまたは複数を指す。当業者に既知である、または後で既知になる本開示の全体にわたって記載されている様々な態様の要素に対するすべての構造的および機能的等価物は、参照により本明細書に明示的に組み込まれ、特許請求の範囲によって含まれるものとする。さらに、こうした開示が特許請求の範囲において明示的に詳述されるかどうかにかかわらず、本明細書において開示されるものは公のためのものではない。クレーム要素は、要素が「〜のための手段」という句を使用して明示的に詳述されない限り、または方法クレームの場合、要素が「〜のためのステップ」という句を使用して詳述されない限り、米国特許法１１２条第６項の規定により解釈されないものとする。
以下に本件出願当初の特許請求の範囲を付記する。
［Ｃ１］
非変更のパワースペクトル密度（ＰＳＤ）を使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定することと、
前記第１の電力クラスまたは第２の電力クラスのｅＮｏｄｅＢのうちの少なくとも一方の前記サブフレームのうちの少なくとも１つの前記第１または第２の制御領域のうちの少なくとも一方の一部分のための前記ＰＳＤを変更することと、
制御情報の前記第１のインスタンスの前記一部分のための前記変更されたＰＳＤを使用して、前記制御領域の間に制御情報の前記第１のインスタンスを送信することと
を備えるワイヤレス通信の方法。
［Ｃ２］
前記第１の電力クラスｅＮｏｄｅＢの前記サブフレームが単一周波数ネットワーク上のマルチメヂア放送（ＭＢＳＦＮ）サブフレームであり、前記第２の電力クラスｅＮｏｄｅＢの前記サブフレームが非ＭＢＳＦＮサブフレームである［Ｃ１］に記載の方法。
［Ｃ３］
前記変更することが、前記第１の電力クラスｅＮｏｄｅＢの前記サブフレームの前記第１の制御領域の前記一部分のための前記ＰＳＤを低減することをさらに備える［Ｃ１］に記載の方法。
［Ｃ４］
前記一部分のための前記ＰＳＤを前記低減することが、
前記制御領域の間に送信に予定された１つまたは複数のチャネルのための前記ＰＳＤを低減することであって、前記１つまたは複数のチャネルが、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備えること
を備える［Ｃ３］に記載の方法。
［Ｃ５］
前記一部分のための前記ＰＳＤを前記低減することが、
結果として前記第２の電力クラスｅＮｏｄｅＢの前記サブフレームへの干渉をもたらす前記第１の電力クラスｅＮｏｄｅＢの前記サブフレーム以外のサブフレームの制御チャネル情報の送信を予定すること
をさらに備える［Ｃ３］に記載の方法。
［Ｃ６］
複数のサブフレームのうちのどの１つまたは複数が前記変更されたＰＳＤを使用して送信されるかを示すメッセージを送信することであって、前記メッセージが、前記第２の電力クラスｅＮｏｄｅＢによってサービス提供される前記第２の電力クラスｅＮｏｄｅＢまたは１つまたは複数のユーザ機器（ＵＥ）のうちの少なくとも一方に送信されること
をさらに備える［Ｃ１］に記載の方法。
［Ｃ７］
１つまたは複数の他の第１の電力クラスｅＮｏｄｅＢからの送信が前記第２の電力クラスｅＮｏｄｅＢの前記サブフレームにおける前記第２の制御領域での制御情報の前記第２のインスタンスの前記送信への前記閾値を上回る干渉をもたらすことを決定することと、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させることと
をさらに備える［Ｃ１］に記載の方法。
［Ｃ８］
前記１つまたは複数の他の第１の電力クラスｅＮｏｄｅＢのうちの前記少なくとも１つが、前記第１の電力クラスｅＮｏｄｅＢによって使用されるものとは異なるＰＳＤ変更値を使用して前記対応するサブフレームの前記ＰＳＤを変更する［Ｃ７］に記載の方法。
［Ｃ９］
前記ＰＳＤを前記変更することが、前記第２の電力クラスｅＮｏｄｅＢの前記サブフレームの前記第２の制御領域の前記一部分のための前記ＰＳＤを増加させることをさらに含む［Ｃ１］に記載の方法。
［Ｃ１０］
前記第１の電力クラスｅＮｏｄｅＢがマクロセルであり、前記第２の電力クラスｅＮｏｄｅＢがピコセルである［Ｃ１］に記載の方法。
［Ｃ１１］
前記第１の電力クラスｅＮｏｄｅＢがフェムトセルであり、前記第２の電力クラスｅＮｏｄｅＢがピコセルまたはマクロセルのいずれかである［Ｃ１］に記載の方法。
［Ｃ１２］
非変更のパワースペクトル密度（ＰＳＤ）を使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定するための手段と、
前記第１の電力クラスまたは第２の電力クラスのｅＮｏｄｅＢのうちの少なくとも一方の前記サブフレームのうちの少なくとも１つの前記第１または第２の制御領域のうちの少なくとも一方の一部分のための前記ＰＳＤを変更するための手段と、
制御情報の前記第１のインスタンスの前記一部分のための前記変更されたＰＳＤを使用して、前記制御領域の間に制御情報の前記第１のインスタンスを送信するための手段と
を備えるワイヤレス通信のための装置。
［Ｃ１３］
前記第１の電力クラスｅＮｏｄｅＢの前記サブフレームが単一周波数ネットワーク上のマルチメヂア放送（ＭＢＳＦＮ）サブフレームであり、前記第２の電力クラスｅＮｏｄｅＢの前記サブフレームが非ＭＢＳＦＮサブフレームである［Ｃ１２］に記載の装置。
［Ｃ１４］
変更するための前記手段が、前記第１の電力クラスｅＮｏｄｅＢの前記サブフレームの前記第１の制御領域の前記一部分のための前記ＰＳＤを低減するための手段をさらに備える［Ｃ１２］に記載の装置。
［Ｃ１５］
前記一部分のための前記ＰＳＤを低減するための前記手段が、
前記制御領域の間に送信に予定された１つまたは複数のチャネルのための前記ＰＳＤを低減するための手段であって、前記１つまたは複数のチャネルが、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える、手段
をさらに備える［Ｃ１４］に記載の装置。
［Ｃ１６］
前記一部分のための前記ＰＳＤを低減するための前記手段が、
結果として前記第２の電力クラスｅＮｏｄｅＢの前記サブフレームへの干渉をもたらす前記第１の電力クラスｅＮｏｄｅＢの前記サブフレーム以外のサブフレームの制御チャネル情報の送信を予定するための手段
をさらに備える［Ｃ１４］に記載の装置。
［Ｃ１７］
複数のサブフレームのうちのどの１つまたは複数が前記変更されたＰＳＤを使用して送信されるかを示すメッセージを送信するための手段であって、前記メッセージが、前記第２の電力クラスｅＮｏｄｅＢによってサービス提供される前記第２の電力クラスｅＮｏｄｅＢまたは１つまたは複数のユーザ機器（ＵＥ）のうちの少なくとも一方に送信される、手段
をさらに備える［Ｃ１２］に記載の装置。
［Ｃ１８］
１つまたは複数の他の第１の電力クラスｅＮｏｄｅＢからの送信が前記第２の電力クラスｅＮｏｄｅＢの前記サブフレームにおける前記第２の制御領域での制御情報の前記第２のインスタンスの前記送信への前記閾値を上回る干渉をもたらすことを決定するための手段と、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させるための手段と
をさらに備える［Ｃ１２］に記載の装置。
［Ｃ１９］
前記１つまたは複数の他の第１の電力クラスｅＮｏｄｅＢのうちの前記少なくとも１つが、前記第１の電力クラスｅＮｏｄｅＢによって使用されるものとは異なるＰＳＤ変更値を使用して前記対応するサブフレームの前記ＰＳＤを変更する［Ｃ１８］に記載の装置。
［Ｃ２０］
前記ＰＳＤを変更するための前記手段が、前記第２の電力クラスｅＮｏｄｅＢの前記サブフレームの前記第２の制御領域の前記一部分のための前記ＰＳＤを増加させるための手段をさらに備える［Ｃ１２］に記載の装置。
［Ｃ２１］
前記第１の電力クラスｅＮｏｄｅＢがマクロセルであり、前記第２の電力クラスｅＮｏｄｅＢがピコセルである［Ｃ１２］に記載の装置。
［Ｃ２２］
前記第１の電力クラスｅＮｏｄｅＢがフェムトセルであり、前記第２の電力クラスｅＮｏｄｅＢがピコセルまたはマクロセルのいずれかである［Ｃ１２］に記載の装置。
［Ｃ２３］
非変更のパワースペクトル密度（ＰＳＤ）を使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定し、
前記第１の電力クラスまたは第２の電力クラスのｅＮｏｄｅＢのうちの少なくとも一方の前記サブフレームのうちの少なくとも１つの前記第１または第２の制御領域のうちの少なくとも一方の一部分のための前記ＰＳＤを変更し、
制御情報の前記第１のインスタンスの前記一部分のための前記変更されたＰＳＤを使用して、前記制御領域の間に制御情報の前記第１のインスタンスを送信する
ためのコードを備えるコンピュータ可読媒体
を備えるコンピュータプログラム製品。
［Ｃ２４］
前記第１の電力クラスｅＮｏｄｅＢの前記サブフレームが単一周波数ネットワーク上のマルチメヂア放送（ＭＢＳＦＮ）サブフレームであり、前記第２の電力クラスｅＮｏｄｅＢの前記サブフレームが非ＭＢＳＦＮサブフレームである［Ｃ２３］に記載のコンピュータプログラム製品。
［Ｃ２５］
前記コンピュータ可読媒体が、前記第１の電力クラスｅＮｏｄｅＢの前記サブフレームの前記第１の制御領域の前記一部分のための前記ＰＳＤを低減するためのコードをさらに備える［Ｃ２３］に記載のコンピュータプログラム製品。
［Ｃ２６］
前記コンピュータ可読媒体が、
前記制御領域の間に送信に予定された１つまたは複数のチャネルのための前記ＰＳＤを低減するためのコードであって、前記１つまたは複数のチャネルが、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える、コード
をさらに備える［Ｃ２５］に記載のコンピュータプログラム製品。
［Ｃ２７］
前記コンピュータ可読媒体が、
結果として前記第２の電力クラスｅＮｏｄｅＢの前記サブフレームへの干渉をもたらす前記第１の電力クラスｅＮｏｄｅＢの前記サブフレーム以外のサブフレームの制御チャネル情報の送信を予定するためのコードをさらに備える
［Ｃ２５］に記載のコンピュータプログラム製品。
［Ｃ２８］
前記コンピュータ可読媒体が、
複数のサブフレームのうちのどの１つまたは複数が前記変更されたＰＳＤを使用して送信されるかを示すメッセージを送信するためのコードであって、前記メッセージが、前記第２の電力クラスｅＮｏｄｅＢによってサービス提供される前記第２の電力クラスｅＮｏｄｅＢまたは１つまたは複数のユーザ機器（ＵＥ）のうちの少なくとも一方に送信される、コード
をさらに備える［Ｃ２３］に記載のコンピュータプログラム製品。
［Ｃ２９］
前記コンピュータ可読媒体が、
１つまたは複数の他の第１の電力クラスｅＮｏｄｅＢからの送信が前記第２の電力クラスｅＮｏｄｅＢの前記サブフレームにおける前記第２の制御領域での制御情報の前記第２のインスタンスの前記送信への前記閾値を上回る干渉をもたらすことを決定し、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させる
ためのコードをさらに備える［Ｃ２３］に記載のコンピュータプログラム製品。
［Ｃ３０］
前記１つまたは複数の他の第１の電力クラスｅＮｏｄｅＢのうちの前記少なくとも１つが、前記第１の電力クラスｅＮｏｄｅＢによって使用されるものとは異なるＰＳＤ変更値を使用して前記対応するサブフレームの前記ＰＳＤを変更する［Ｃ２９］に記載のコンピュータプログラム製品。
［Ｃ３１］
前記コンピュータ可読媒体が、前記第２の電力クラスｅＮｏｄｅＢの前記サブフレームの前記第２の制御領域の前記一部分のための前記ＰＳＤを増加させるためのコードをさらに備える［Ｃ２３］に記載のコンピュータプログラム製品。
［Ｃ３２］
前記第１の電力クラスｅＮｏｄｅＢがマクロセルであり、前記第２の電力クラスｅＮｏｄｅＢがピコセルである［Ｃ２３］に記載のコンピュータプログラム製品。
［Ｃ３３］
前記第１の電力クラスｅＮｏｄｅＢがフェムトセルであり、前記第２の電力クラスｅＮｏｄｅＢがピコセルまたはマクロセルのいずれかである［Ｃ２３］に記載のコンピュータプログラム製品。
［Ｃ３４］
非変更のパワースペクトル密度（ＰＳＤ）を使用した第１の電力クラスｅＮｏｄｅＢのサブフレームにおける第１の制御領域での制御情報の第１のインスタンスの送信が第２の電力クラスｅＮｏｄｅＢのサブフレームにおける第２の制御領域での制御情報の第２のインスタンスの送信への閾値を上回る干渉をもたらすことを決定し、
前記第１の電力クラスまたは第２の電力クラスのｅＮｏｄｅＢのうちの少なくとも一方の前記サブフレームのうちの少なくとも１つの前記第１または第２の制御領域のうちの少なくとも一方の一部分のためのＰＳＤを変更し、
制御情報の前記第１のインスタンスの前記一部分のための前記変更されたＰＳＤを使用して、前記制御領域の間に制御情報の前記第１のインスタンスを送信する
ように構成された処理システム
を備えるワイヤレス通信のための装置。
［Ｃ３５］
前記第１の電力クラスｅＮｏｄｅＢの前記サブフレームがマルチキャスト放送単一周波数ネットワーク（ＭＢＳＦＮ）サブフレームであり、前記第２の電力クラスｅＮｏｄｅＢの前記サブフレームが非ＭＢＳＦＮサブフレームである［Ｃ３４］に記載の装置。
［Ｃ３６］
前記処理システムが、前記第１の電力クラスｅＮｏｄｅＢの前記サブフレームの前記第１の制御領域の前記一部分のための前記ＰＳＤを低減するようにさらに構成されている［Ｃ３４］に記載の装置。
［Ｃ３７］
前記処理システムが、
前記制御領域の間に送信に予定された１つまたは複数のチャネルのための前記ＰＳＤを低減するようにさらに構成され、前記１つまたは複数のチャネルが、共通基準信号（ＣＲＳ）、物理制御フォーマットインジケータチャネル（ＰＣＦＩＣＨ）、物理ハイブリッドＡＲＱインジケータチャネル（ＰＨＩＣＨ）、または物理ダウンリンク制御チャネル（ＰＤＣＣＨ）のうちの少なくとも１つを備える
［Ｃ３６］に記載の装置。
［Ｃ３８］
前記処理システムが、
結果として前記第２の電力クラスｅＮｏｄｅＢの前記サブフレームへの干渉をもたらす前記第１の電力クラスｅＮｏｄｅＢの前記サブフレーム以外のサブフレームの制御チャネル情報の送信を予定するようにさらに構成される
［Ｃ３６］に記載の装置。
［Ｃ３９］
前記処理システムが、
複数のサブフレームのうちのどの１つまたは複数が前記変更されたＰＳＤを使用して送信されるかを示すメッセージを送信するようにさらに構成され、前記メッセージが、前記第２の電力クラスｅＮｏｄｅＢによってサービス提供される前記第２の電力クラスｅＮｏｄｅＢまたは１つまたは複数のユーザ機器（ＵＥ）のうちの少なくとも一方に送信される
［Ｃ３４］に記載の装置。
［Ｃ４０］
前記処理システムが、
１つまたは複数の他の第１の電力クラスｅＮｏｄｅＢからの送信が前記第２の電力クラスｅＮｏｄｅＢの前記サブフレームにおける前記第２の制御領域での制御情報の前記第２のインスタンスの前記送信への前記閾値を上回る干渉をもたらすことを決定し、
前記第１の電力クラスｅＮｏｄｅＢの前記サブフレームの間に、前記１つまたは複数の他の第１の電力クラスｅＮｏｄｅＢのうちの少なくとも１つに対応するサブフレームの送信の前記ＰＳＤを変更させる
ようにさらに構成されている［Ｃ３４］に記載の装置。
［Ｃ４１］
前記１つまたは複数の他の第１の電力クラスｅＮｏｄｅＢのうちの前記少なくとも１つが、前記第１の電力クラスｅＮｏｄｅＢによって使用されるものとは異なるＰＳＤ変更値を使用して前記対応するサブフレームの前記ＰＳＤを変更する［Ｃ４０］に記載の装置。
［Ｃ４２］
前記ＰＳＤを変更するために、前記処理システムが、前記第２の電力クラスｅＮｏｄｅＢの前記サブフレームの前記第２の制御領域の前記一部分のための前記ＰＳＤを増加させるように構成されている［Ｃ３４］に記載の装置。
［Ｃ４３］
前記第１の電力クラスｅＮｏｄｅＢがマクロセルであり、前記第２の電力クラスｅＮｏｄｅＢがピコセルである［Ｃ３４］に記載の装置。
［Ｃ４４］
前記第１の電力クラスｅＮｏｄｅＢがフェムトセルであり、前記第２の電力クラスｅＮｏｄｅＢがピコセルまたはマクロセルのいずれかである［Ｃ３４］に記載の装置。
【図１】
0005345734.tif 000002
【図２】
0005345734.tif 000003
【図３】
0005345734.tif 000004
【図４】
0005345734.tif 000005
【図５】
0005345734.tif 000006
【図６】
0005345734.tif 000007
【図７】
0005345734.tif 000008
【図８】
0005345734.tif 000009
【図９】
0005345734.tif 000010
【図１０】
0005345734.tif 000011